(57)【要約】  室内空気処理用空調機で除湿する必要がなくなり、大幅な省エネが達成されるような空調機を提供する。電流の流れ方向によって、それぞれ低熱源および高熱源となるペルチェ素子群５０Ａ〜５０Ｈを挟む一対の伝熱面５１ａ，５１ｂにデシカント５３Ａ，５３Ｂを担持させるとともに、回転軸を伝熱面と平行かつペルチェ素子群の中心部を貫くように設け、回転軸を中心に回転するように構成されたペルチェヒートポンプ回転組立体５４を備えたデシカント空調機を用いて、回転組立体を回転させるとともに、冷房時において、室内からの放出空気ＥＸをペルチェヒートポンプ回転組立体の高熱源側の伝熱面５１ａに担持させたデシカント５３Ａと接触させた後に屋外に放出するとともに、導入空気をペルチェヒートポンプ回転組立体の低熱源側の伝熱面５１ｂに担持させたデシカント５３Ｂと接触させた後に室内に供給する。【特許請求の範囲】
【請求項１】
室内空間から屋外空間に向かう排気経路及び屋外空間から室内空間に向かう給気経路と、
偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、
前記ペルチェヒートポンプは前記一対の伝熱面を前記排気経路及び給気経路に交互に接触させて、排気経路に接触する伝熱面を高熱源として担持したデシカントの加熱を行い、給気経路に接触する伝熱面を低熱源として担持したデシカントの冷却を行うよう電流の流れ方向を切り替え、
さらに前記排気経路の空気を前記ペルチェヒートポンプの高熱源によって加熱したのち屋外空間に放出し、前記給気経路の空気を前記ペルチェヒートポンプの低熱源によって冷却したのち室内空間に放出することを特徴とする空調機。
【請求項２】
室内空間から室内空間に向かう還気経路及び屋外空間から屋外空間に向かう外気経路と、
偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、
前記ペルチェヒートポンプは前記一対の伝熱面を前記還気経路及び外気経路に交互に接触させて、還気経路に接触する伝熱面を低熱源として担持したデシカントの冷却を行い、外気経路に接触する伝熱面を高熱源として担持したデシカントの加熱を行うよう電流の流れ方向を切り替え、
さらに前記還気経路の空気を前記ペルチェヒートポンプの低熱源によって冷却したのち室内空間に放出し、前記外気経路の空気を前記ペルチェヒートポンプの高熱源によって加熱したのち屋外空間に放出することを特徴とする空調機。
【請求項３】
室内空間から屋外空間に向かう排気経路及び屋外空間から室内空間に向かう給気経路と、
偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、
前記ペルチェヒートポンプは前記一対の伝熱面を前記排気経路及び給気経路に交互に接触させて、排気経路に接触する伝熱面を低熱源として担持したデシカントの冷却を行い、給気経路に接触する伝熱面を高熱源として担持したデシカントの加熱を行うよう電流の流れ方向を切り替え、
さらに前記排気経路の空気を前記ペルチェヒートポンプの低熱源によって冷却したのち屋外空間に放出し、前記給気経路の空気を前記ペルチェヒートポンプの高熱源によって加熱したのち室内空間に放出することを特徴とする空調機。
【請求項４】
室内空間から室内空間に向かう還気経路及び屋外空間から屋外空間に向かう外気経路と、
偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、
前記ペルチェヒートポンプは前記一対の伝熱面を前記還気経路及び外気経路に交互に接触させて、還気経路に接触する伝熱面を高熱源として担持したデシカントの加熱を行い、外気経路に接触する伝熱面を低熱源として担持したデシカントの冷却を行うよう電流の流れ方向を切り替え、
さらに前記還気経路の空気を前記ペルチェヒートポンプの高熱源によって加熱したのち室内空間に放出し、前記外気経路の空気を前記ペルチェヒートポンプの低熱源によって冷却したのち屋外空間に放出することを特徴とする空調機。
【請求項５】
前記ペルチェヒートポンプが、一対の伝熱面がペルチェ素子を挟む組立体として構成され、前記伝熱面にはフィンがペルチェ素子を挟む平面に対して大略垂直方向を向くように設けられ、さらにペルチェ素子を挟む平面に平行な回転軸を備えた回転組立体であって、前記排気経路、給気経路、還気経路及び外気経路の少なくとも１つに対して相対的に回転させることによって前記排気経路、給気経路、還気経路及び外気経路の少なくとも１つと交互に接触するように構成されていることを特徴とする請求項１乃至４のいずれかに記載の空調機。
【請求項６】
前記ペルチェヒートポンプを太陽電池で駆動するように構成したことを特徴とする請求項１乃至４のいずれかに記載の空調機。
【請求項７】
第１の空気経路と第２の空気経路とが並列するように空気の流入口及び流出口が形成されたケーシングと、
ペルチェ素子の一対の伝熱面にそれぞれデシカントを担持させ、前記ケーシング内の空間を前記第１の空気経路と第２の空気経路に区画するように配置されたペルチェヒートポンプ回転組立体を備え、
前記ペルチェヒートポンプ回転組立体を前記ケーシング内で連続回転させることにより、前記一対の伝熱面を前記第１の空気経路と第２の空気経路に交互に接触させて、第１の空気経路でデシカントの加熱を行い、第２の空気経路でデシカントの冷却を行うよう電流の流れ方向を切り替えるようにした空調機において、
前記ペルチェヒートポンプ回転組立体と一体に回転することにより前記流入口及び流出口を開閉する弁部材を有することを特徴とする空調機。
【請求項８】
前記弁部材は、前記一対の伝熱面と前記第１の空気経路と第２の空気経路との接触を切り替える際に、前記第１の空気経路と第２の空気経路が短絡することを防止するように構成されていることを特徴とする請求項７に記載の空調機。
【請求項９】
前記第１の空気経路と第２の空気経路は、それぞれ空調空間と外気との間で空気を流通させるものであることを特徴とする請求項７又は８に記載の空調機。
【請求項１０】
前記第１の空気経路と第２の空気経路は、それぞれ空調空間の空気又は外気を環気させるものであることを特徴とする請求項７又は８に記載の空調機。
【請求項１１】
前記第１の空気経路と第２の空気経路を、それぞれ空調空間と外気との間で空気を流通させるようにする第１の流通状態と、それぞれ空調空間内の空気又は外気を環気させるようにする第２の流通状態とに切り替える開閉弁が設けられていることを特徴とする請求項７ないし請求項１０のいずれかに記載の空調機。
【発明の詳細な説明】
【技術分野】
【０００１】
本発明は、空調機に関し、特に室内空気を循環させて処理する空調機（エアコン）と組み合わせて空調システムを構成する空調機に関する。
【背景技術】
【０００２】
図１２は、従来の空調システムの例を示すもので、これは、室内空気を循環させて処理する空調機３と、外気を処理して室内に導く全熱交換器１１とを併用する空調システムである。この全熱交換器（エンタルピ交換器）は、外気と室内空気の湿度分と顕熱を同時に熱交換する。一方、室内の空調機（エアコン）が冷房時には空調空間の熱負荷を取り出して屋外に捨て、暖房時には屋外から熱を回収して空調空間を加熱している。【０００３】
上記のような全熱交換器の冷房時の動作は、図１３に示す湿り空気線図で説明すると、外気（状態Ｋ）と室内空気（状態Ｑ）がエンタルピ交換してそれぞれ処理外気が状態Ｌ、室内排気が状態Ｔとなって、各々室内への給気、屋外への排気となる。この際のエンタルピ交換の効率は、現状の製品では実用上６０〜７０％と低いので、給気（状態Ｌ）と室内（状態Ｑ）の間にはエンタルピ差ΔＨが生じ、結果的に空気の絶対湿度に差（水分差ΔＸ）がある空気が室内に供給され、未処理外気と室内の水分差の３０〜４０％の湿気が室内に入ってくる。この水分はエアコンで除湿しなければならないので、エアコンでは室内空気を露点温度（１５〜１６℃）以下のおよそ５〜１０℃に冷却して除湿する必要がある。【０００４】
空調負荷の内、除湿に要する潜熱負荷は全熱交換器を用いた場合で全空調負荷の１０〜１５％を占め、残りの８５〜９０％は顕熱負荷である。この顕熱空調負荷は、露点まで冷却する必要がなく、１５〜２０℃程度に冷却すれば十分な空調負荷である。しかしながら、これまでの空調システムでは、導入外気を室内空気と混ぜて顕熱と潜熱を一括で処理するため、全ての熱を１０℃程度の露点温度以下の温度レベルで冷却してしまうため、エアコンの蒸発温度と凝縮温度の差（冷媒の冷凍サイクルに印加される温度リフト）を、全熱交換器を用いない時と同じに設定する必要があり、空調負荷は減少させることができるが、熱を汲み上げる温度リフトは減少できない。【０００５】
これに対して、デシカントと電子冷却素子を組み合わせることで、除湿を効率的に行う除湿装置が提案されている。【０００６】
【特許文献１】特開平７−２７５６４２号公報
【特許文献２】特開２０００−１４６２２０号公報
【発明の開示】
【発明が解決しようとする課題】
【０００７】
このように、従来の技術では、高い温度リフトに抗して熱を外部に捨てるため、顕熱負荷処理分のヒートポンプの駆動エネルギーが必要以上に消費されており、エネルギー消費率が大きかった。また、エアコンでは除湿で生じるドレン（結露水）を処理するためにドレン処理機構を設ける必要があり、設備の複雑化を招いていた。
また、暖房時には全熱交換器で回収できなかった分の水分を加湿によって補う必要があり、そのため加湿器および給水手段を必要とし、冷房時と同様に設備の複雑化を招いていた。【０００８】
本発明は、前記事情に鑑みて為されたもので、室内空気処理用空調機（エアコン）で除湿する必要がなくなり、空調機（エアコン）の熱源冷凍サイクルの動作温度リフトを低下させることができて大幅な省エネが達成されるような空調システムのための空調機を提供することを目的とする。
【課題を解決するための手段】
【０００９】
本発明は、上記課題を解決するためになされたもので、請求項１に記載の空調機は、室内空間から屋外空間に向かう排気経路及び屋外空間から室内空間に向かう給気経路と、偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、前記ペルチェヒートポンプは前記一対の伝熱面を前記排気経路及び給気経路に交互に接触させて、排気経路に接触する伝熱面を高熱源として担持したデシカントの加熱を行い、給気経路に接触する伝熱面を低熱源として担持したデシカントの冷却を行うよう電流の流れ方向を切り替え、さらに前記排気経路の空気を前記ペルチェヒートポンプの高熱源によって加熱したのち屋外空間に放出し、前記給気経路の空気を前記ペルチェヒートポンプの低熱源によって冷却したのち室内空間に放出することを特徴とする。【００１０】
このような構成においては、図１に示すように、冷房時において、室内空間を空調空間として室内空気ＲＡを排気経路から排気し、室外空間から外気ＯＡを給気経路より室内に給気して空調機１００を運転することにより、室内空気の潜熱負荷を空調機（エアコン）３とは別個に処理するため、空調機３で除湿する必要がなくなり、空調機３の熱源冷凍サイクルの動作温度リフトを低下させることができ、大幅な省エネルギー化が達成される。また、空調機３で除湿する必要がないので、結露処理のためのドレン排出手段が不要となる。【００１１】
請求項２に記載の空調機は、室内空間から室内空間に向かう還気経路及び屋外空間から屋外空間に向かう外気経路と、偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、前記ペルチェヒートポンプは前記一対の伝熱面を前記還気経路及び外気経路に交互に接触させて、還気経路に接触する伝熱面を低熱源として担持したデシカントの冷却を行い、外気経路に接触する伝熱面を高熱源として担持したデシカントの加熱を行うよう電流の流れ方向を切り替え、さらに前記還気経路の空気を前記ペルチェヒートポンプの低熱源によって冷却したのち室内空間に放出し、前記外気経路の空気を前記ペルチェヒートポンプの高熱源によって加熱したのち屋外空間に放出することを特徴とする。【００１２】
このような構成においては、図１に示すように、冷房時において、室内空間を空調空間として室内空気ＲＡを還気経路を介して循環させ、屋外空間から外気を外気経路に通して空調機１００を運転するので、室内空気の潜熱負荷を空調機（エアコン）３とは別個に処理するため、空調機で除湿する必要がなくなり、空調機の熱源冷凍サイクルの動作温度リフトを低下させることができ、大幅な省エネルギー化が達成される。また、空調機３で除湿する必要がないので、結露処理のためのドレン排出手段が不要となる。【００１３】
請求項３に記載の空調機は、室内空間から屋外空間に向かう排気経路及び屋外空間から室内空間に向かう給気経路と、偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、前記ペルチェヒートポンプは前記一対の伝熱面を前記排気経路及び給気経路に交互に接触させて、排気経路に接触する伝熱面を低熱源として担持したデシカントの冷却を行い、給気経路に接触する伝熱面を高熱源として担持したデシカントの加熱を行うよう電流の流れ方向を切り替え、さらに前記排気経路の空気を前記ペルチェヒートポンプの低熱源によって冷却したのち屋外空間に放出し、前記給気経路の空気を前記ペルチェヒートポンプの高熱源によって加熱したのち室内空間に放出することを特徴とする。【００１４】
請求項４に記載の空調機は、室内空間から室内空間に向かう還気経路及び屋外空間から屋外空間に向かう外気経路と、偶数個のＰ型半導体およびＮ型半導体を交互に接続した接合部であって、電流の流れ方向によってそれぞれ低熱源および高熱源となる接合部に密着した伝熱面を備えたペルチェ素子の該伝熱面にデシカントを担持させたペルチェヒートポンプを備え、前記ペルチェヒートポンプは前記一対の伝熱面を前記還気経路及び外気経路に交互に接触させて、還気経路に接触する伝熱面を高熱源として担持したデシカントの加熱を行い、外気経路に接触する伝熱面を低熱源として担持したデシカントの冷却を行うよう電流の流れ方向を切り替え、さらに前記還気経路の空気を前記ペルチェヒートポンプの高熱源によって加熱したのち室内空間に放出し、前記外気経路の空気を前記ペルチェヒートポンプの低熱源によって冷却したのち屋外空間に放出することを特徴とする。
このような構成においては、暖房時において、室内空間を空調空間として運転する際、デシカントが外気から吸着した水分により給気の加湿を行うため、加湿器およびその給水手段が不要となる。【００１５】
請求項５に記載の空調機は、請求項１乃至４のいずれかに記載の発明において、前記ペルチェヒートポンプが、一対の伝熱面がペルチェ素子を挟む組立体として構成され、前記伝熱面にはフィンがペルチェ素子を挟む平面に対して大略垂直方向を向くように設けられ、さらにペルチェ素子を挟む平面に平行な回転軸を備えた回転組立体であって、前記排気経路、給気経路、還気経路及び外気経路の少なくとも１つに対して相対的に回転させることによって前記排気経路、給気経路、還気経路及び外気経路の少なくとも１つと交互に接触するように構成されていることを特徴とする。【００１６】
このような構成においては、バッチ処理で除湿再生を行うデシカントと冷却加熱伝熱面の切り替えを電流方向の切り替えによって行うペルチェヒートポンプを一体化した回転組立体として構成し、デシカントの除湿再生を行うバッチ処理工程と、ペルチェヒートポンプの冷却加熱を切り替えるバッチ処理工程の切り替えを、空気経路との間の相対回転移動によって自動的に行えるよう構成したことによって、コンパクトな構成で、かつ省エネルギーな空調機を提供することができる。【００１７】
請求項６に記載の空調機は、前記ペルチェヒートポンプを太陽電池で駆動するよう構成したことを特徴とする請求項１乃至４のいずれかに記載の空調機である。
このような構成においては、ペルチェヒートポンプに必要な直流電源を太陽電池から直接供給することができるため、交流直流変換のための整流器などの付帯装置が不要になるとともに、自然エネルギーを利用して運転できるので環境負荷が発生しない。【００１８】
請求項７に記載の空調機は、第１の空気経路と第２の空気経路とが並列するように空気の流入口及び流出口が形成されたケーシングと、ペルチェ素子の一対の伝熱面にそれぞれデシカントを担持させ、前記ケーシング内の空間を前記第１の空気経路と第２の空気経路に区画するように配置されたペルチェヒートポンプ回転組立体を備え、前記ペルチェヒートポンプ回転組立体を前記ケーシング内で連続回転させることにより、前記一対の伝熱面を前記第１の空気経路と第２の空気経路に交互に接触させて、第１の空気経路でデシカントの加熱を行い、第２の空気経路でデシカントの冷却を行うよう電流の流れ方向を切り替えるようにした空調機において、前記ペルチェヒートポンプ回転組立体と一体に回転することにより前記流入口及び流出口を開閉する弁部材を有することを特徴とする。【００１９】
このような構成においては、弁部材がペルチェヒートポンプ回転組立体と一体に連続回転することにより前記流入口及び流出口を開閉するので、流路中にダンパ（開閉弁）を設けたり、その開閉を制御する制御装置を別途設ける必要が無い。【００２０】
請求項８に記載の空調機は、請求項７に記載の発明において、前記弁部材は、前記一対の伝熱面と前記第１の空気経路と第２の空気経路との接触を切り替える際に、前記第１の空気経路と第２の空気経路が短絡することを防止するように構成されていることを特徴とする。
このような構成においては、ペルチェヒートポンプ回転組立体が比較的低速で連続回転動作する場合でも、空調した空気が流出して損失となることが防止される。【００２１】
請求項９に記載の空調機は、請求項７又は８に記載の発明において、前記第１の空気経路と第２の空気経路は、それぞれ空調空間と外気との間で空気を流通させるものであることを特徴とする。
請求項１０に記載の空調機は、請求項７又は８に記載の発明において、前記第１の空気経路と第２の空気経路は、それぞれ空調空間の空気又は外気を環気させるものであることを特徴とする。【００２２】
請求項１１に記載の空調機は、請求項７ないし請求項１０のいずれかに記載の発明において、前記第１の空気経路と第２の空気経路を、それぞれ空調空間と外気との間で空気を流通させるようにする第１の流通状態と、それぞれ空調空間内の空気又は外気を環気させるようにする第２の流通状態とに切り替える開閉弁が設けられていることを特徴とする。
【発明の効果】
【００２３】
請求項１に記載の発明によれば、冷房時において、屋外から室内に供給する空気（処理した外気）を、室内空気より低い絶対湿度にすることができるから、水分を室内に持ち込まないで済む。従って、空調機で除湿する必要がなくなり、空調機（エアコン）の熱源冷凍サイクルの動作温度リフトを低下させることができ、大幅な省エネルギー化が達成される。また、少ない冷却能力で換気により室内に湿気が持ち込まれることが防止され、湿度調節と温度調節が独立して制御できるようになって快適性が向上し、かつ室内の空調機が省エネルギーになるとともにドレン処理が不要となって製造コストが下がりイニシャルおよびランニングコストの両方を低減することができる。【００２４】
請求項２に記載の発明によれば、冷房時において、室内空気の潜熱負荷を空調機（エアコン）とは別個に処理するため、空調機で除湿する必要がなくなり、空調機の熱源冷凍サイクルの動作温度リフトを低下させることができ、大幅な省エネルギー化が達成される。また、少ない冷却能力で換気により室内に湿気が持ち込まれることが防止され、湿度調節と温度調節が独立して制御できるようになって快適性が向上し、かつ室内の空調機が省エネルギーになるとともにドレン処理が不要となって製造コストが下がりイニシャルおよびランニングコストの両方を低減することができる。【００２５】
請求項３または請求項４に記載の発明によれば、給水することなく換気によって室内を加湿することが可能となり、室内の空調機に加湿機構を設ける必要がなくなって、コストを低減することができる。【００２６】
請求項５に記載の発明によれば、コンパクトな構成で、かつ省エネルギーな空調機を提供することができる。
請求項６に記載の発明によれば、交流直流変換のための整流器などの付帯装置が不要になるとともに、自然エネルギーを利用して運転できるので環境負荷が発生しない省エネルギーな空調機を提供することができる。【００２７】
請求項７乃至請求項１１に記載の発明によれば、簡単な構成で連続回転動作による運転を達成できるので、大型の駆動モータやブレーキ装置を必要とせず、低コスト化、コンパクト化が可能であり、また、駆動用モータの発停を繰り返す必要が無いので省エネルギーな空調機を提供することができる。
【図面の簡単な説明】
【００２８】
【図１】本発明に係る第１の実施の形態の空調機を用いた空調システムの基本構成を示す説明図である。
【図２】図１の実施の形態の空調機の構成を示す縦断面図である。
【図２Ａ】図２の空調機の構成を概略的に示す説明図である。
【図３】図２のＡ−Ａ線に沿った横断面図である。
【図４】第１の実施の形態の空調機のペルチェヒートポンプ回転組立体の電流方向の切替手段を示す回路図である。
【図５】第１の実施の形態の空調機の動作の際の空気の流れを示す縦断面図である。
【図６】第１の実施の形態の空調機のペルチェヒートポンプ回転組立体の回転動作を示す横断面図である。
【図６Ａ】同じく第１の実施の形態の空調機のペルチェヒートポンプ回転組立体の回転動作を示す横断面図である。
【図６Ｂ】同じく第１の実施の形態の空調機のペルチェヒートポンプ回転組立体の回転動作を示す横断面図である。
【図６Ｃ】同じく第１の実施の形態の空調機のペルチェヒートポンプ回転組立体の回転動作を示す横断面図である。
【図７】第１の実施の形態の空調機を用いた空調システムの空気の空調サイクルを湿り空気線図で示す説明図である。
【図８】この発明の第２の実施の形態の空調機の構成を示す縦断面図である。
【図８Ａ】図８の空調機の構成を概略的に示す説明図である。
【図９】図８のＢ−Ｂ線に沿った横断面図である。
【図１０】本発明の他の実施の形態の空調機の構成を示す縦断面図である。
【図１１】（ａ）は、図１０のＣ−Ｃ線に沿った横断面図、（ｂ）は、（ａ）のｂ部を詳細に示す図である。
【図１２】従来の空調システムの基本構成を示す説明図である。
【図１３】従来のデシカント空調の空気の空調サイクルを湿り空気線図で示す説明図である。
【符号の説明】
【００２９】
２  室内
３  エアコン（空調機）
１１  全熱交換器
２０  回転軸
２２  中胴
２３  仕切り板
２５  中胴空気取入れ口（第１の開口部）
２６  中胴空気取入れ口（第２の開口部）
２７，２８  仕切り板
３０  ケーシング胴体
３１  上蓋
３２  下蓋
３５，３６  空気取入れ口
３７，３８  空気吹出し口
３７ａ  第３の開口部
３７ｂ  第４の開口部
４０  排気ファン（送風機）
４１  給気ファン（送風機）
５０  ペルチェ素子
５０Ａ−５０Ｈ  ペルチェ素子
５１Ａ，５１Ｂ  伝熱板
５１ａ，５１ｂ  伝熱面
５２Ａ，５２Ｂ  フィン
５３Ａ  高熱源側デシカント
５３Ｂ  低熱源側デシカント
５４  ペルチェヒートポンプ回転組立体
５５，５６  邪魔板
５７，５８  仕切り（弁部材）
６０  切替手段
６１，６２  ブラシ
６３，６４  シュー
６５  直流電流
７０  操作手段
７１  モータ
７３  歯車
８０Ａ，８０Ｂ，８５Ａ，８５Ｂ、９０，９１  空間
１００  空調機（外調機）
１１０，１１２  開閉弁装置
１１４  ヒンジ
１１６  ダンパ
１１８  モータ
１２０  アーム
１２２  スプリング
２００  太陽電池
【発明を実施するための最良の形態】
【００３０】
以下、本発明に係る空調機を用いた空調システムの一実施の形態を図１乃至図７を参照して説明する。
図１は本実施の形態の空調システムの基本構成を示すもので、空調すべき室内２の空気を循環させて処理する空調機３と、外気を処理して室内に導く空調機（外調機）１００とを併用する空調システムである。そして空調機１００の電源としてペルチェヒートポンプと同じ直流を発生する太陽電池２００が接続されている。これにより、空調機１００では従来必要とした交流から直流への変換装置（インバーター、整流器）が不要となるとともに、環境負荷を低減できる。なお空調機３としては、冷房と暖房を切り替えて用いる通常のものでよいが、これ以外の任意のものを採用することができる。【００３１】
図２および図２Ａは本発明の第１の実施の形態の空調機１００の構成を示すものであり、図３は図２のＡ−Ａ線に沿った断面図である。空調機１００は、電流の流れ方向によって、それぞれ低熱源および高熱源となるペルチェ素子群５０Ａ〜５０Ｈ（ペルチェ効果｛吸熱・発熱反応｝を発生する一対のＰ型およびＮ型半導体の集合組立体）と、これらのペルチェ素子群５０Ａ〜５０Ｈを挟む一対の伝熱板５１Ａ，５１Ｂと、これらの伝熱板５１Ａ，５１Ｂの伝熱面５１ａ，５１ｂ及び伝熱面５１ａ，５１ｂにほぼ垂直方向を向くように立てられたフィン５２Ａ，５２Ｂと、これらのフィン５２Ａ，５２Ｂに担持されたデシカント５３Ａ，５３Ｂと、伝熱面５１ａ，５１ｂと平行かつペルチェ素子群５０Ａ〜５０Ｈの中心部を貫くように設けられた回転軸２０と、これらの回転軸を連続的（または間歇的）に回転駆動する駆動手段（図示略）とを備え、回転軸２０を中心に回転するように構成されたペルチェヒートポンプ回転組立体５４を備えたデシカント空調機である。なおペルチェ素子群は、本実施の形態では複数（８個）の場合を示したが、所要冷却能力に合わせて適宜の数で構成することができる。【００３２】
このデシカント空調機１００には、ペルチェヒートポンプ回転組立体５４を囲む円筒状の中胴２２と、その外側のケーシング胴体３０、上蓋３１、下蓋３２で囲まれた直方体状のケーシングが設けられており、ケーシング胴体３０と中胴２２の間には仕切り板２３が設けられ、その内側に、室内空気を室外に放出する排気経路（第１の空気経路）と、外気を室内に導入する給気経路（第２の空気経路）とが設けられている。【００３３】
そして、これらの排気経路及び給気経路の間には、両方の経路に交互に接触するように、ペルチェヒートポンプ回転組立体５４のデシカント５３Ａ，５３Ｂを担持させたフィン５２Ａ，５２Ｂ部分が設けられている。ペルチェヒートポンプ回転組立体５４の下部には、図４に示すような電気回路を持った電流方向の切替手段６０が設けられており、ペルチェヒートポンプ回転組立体５４の回転位置によって自動的にペルチェ素子５０の電流方向が切り替わるよう構成されている。さらに、ペルチェヒートポンプ回転組立体５４の回転軸２０の下部には歯車７３が設けられており、歯車７３を介してモータ７１によって回転するよう構成されている。電流方向の切替手段６０、モータ７１は操作手段７０から電気が供給、切断されることによって、運転制御される。【００３４】
ペルチェヒートポンプ回転組立体５４の外周と中胴２２との間には熱膨張による接触を避けるため０．３ｍｍから３．０ｍｍ程度の僅かな隙間を設け、固定された中胴２２の中でペルチェヒートポンプ回転組立体５４が円滑に回転できるようにしている。中胴２２には、室内からの排気経路（第１の空気経路）の空気をペルチェヒートポンプ回転組立体５４のデシカント５３Ａに導く第１の開口部（中胴空気取入れ口）２５と、外気を室内に導入する給気経路（第２の空気経路）の空気をペルチェヒートポンプ回転組立体５４のデシカント５３Ｂに導く第２の開口部２６と、第１の空気経路のペルチェヒートポンプ回転組立体５４のデシカント５３Ａと接触した後の空気を排気ファン（送風機）４０に導く通路に接続された第３の開口部３７ａと、第２の空気経路のペルチェヒートポンプ回転組立体５４のデシカント５３Ｂと接触した後の空気を給気ファン（送風機）４１に導く通路に接続された第４の開口部３８ａとの４つの開口部を有している。第１と第３の開口部２５，３７ａは回転軸２０に直角方向にほぼ同じ方向に開口し、また第２と第４の開口部２６，３８ａは回転軸２０に直角方向にほぼ同じ方向に開口し、また第１の開口部２５と第２の開口部２６はそれぞれほぼ角度１８０度をなす反対方向を向き、また第３の開口部３７ａと第４の開口部３８ａはそれぞれほぼ角度１８０度をなす反対方向を向いている。【００３５】
室内空気を室外に排気する排気経路（第１の空気経路）を流れる空気（記号ＲＡとして図示）は、空気取入れ口３６から、ケーシング胴体３０と中胴２２で囲まれた空間８０Ａ，８０Ｂを通り、中胴空気取入れ口２５を経て、中胴２２の内側に流入し、ここでペルチェヒートポンプ回転組立体５４のフィン５２Ａに平行するように流れて担持されているデシカント５３Ａと接触した後、送風機４０に吸入され昇圧されて空気吹出し口３７を経て、屋外に排気（記号ＥＸとして図示）されるよう構成されている。これにより、室内空気を取り入れて、外部に排気する空気経路を形成する。なお、空気が中胴空気取入れ口２５からペルチェヒートポンプ回転組立体５４のデシカントをバイパスして直接送風機４０に吸われてしまわないように、邪魔板５５がペルチェヒートポンプ回転組立体５４のフィンの先端部分に固定されている。【００３６】
一方、外気を室内に導入する給気経路（第２の空気経路）を流れる空気（記号ＯＡとして図示）は、空気取入れ口３５から、ケーシング胴体３０と中胴２２で囲まれた空間８５Ａ，８５Ｂを通り、中胴空気取入れ口２６を経て、中胴２２の内側に流入し、ここでフィン５２Ｂに平行するように流れて、排気経路の空気と接しているペルチェヒートポンプ回転組立体５４のデシカント５３Ａの裏側にあるデシカント５３Ｂと接触した後、送風機４１に吸入され昇圧されて空気吹出し口３８を経て、室内に供給（記号ＳＡとして図示）されるよう構成されている。これにより、外気を取り入れて処理して室内に導入する空気経路を形成する。なお空気が中胴空気取入れ口２６からペルチェヒートポンプ回転組立体５４のデシカントをバイパスして直接送風機４１に吸われてしまわないように、邪魔板５６がペルチェヒートポンプ回転組立体５４のフィンの先端部分に固定されている。【００３７】
そして、ペルチェヒートポンプ回転組立体５４の回転位置によって、特にペルチェヒートポンプ回転組立体５４が図３に示した位置から９０度回転した位置において、中胴２２に設けられた第１乃至第４の開口部２５，２６，３７ａ，３８ａを介して、ペルチェヒートポンプ回転組立体５４に対向して設けられた高熱源側デシカントと低熱源側デシカントにそれぞれ接触する空気が相互に連通することがないように、軸方向で伝熱面５１ａ，５１ｂとほぼ同じ長さを有し、周方向幅（つまり中心角）が第１乃至第４の開口部２５，２６，３７ａ，３８ａより大きいような、円弧と弦で囲まれた断面形状を有する仕切り（弁部材）５７，５８が設けられていて、これらはペルチェヒートポンプ回転組立体５４の一部として一体となって回転するよう構成されている。仕切り５７，５８は、ケーシング胴体３０との間に狭い隙間を形成することで排気経路（第１の空気経路）と給気経路（第２の空気経路）の間を区画するとともに、ペルチェヒートポンプ回転組立体５４の回転に伴い、第１乃至第４の開口部２５，２６，３７ａ，３８ａを開閉し、前記第１の空気経路と第２の空気経路が短絡することを防止する弁部材を構成する。【００３８】
図４はペルチェヒートポンプ回転組立体５４の電流方向の切替手段を示す電気回路図である。ペルチェ素子５０Ａ，５０Ｂは電流方向によって、高熱源と低熱源を容易に切り替えることができる。ペルチェヒートポンプ回転組立体５４が１８０度回転する毎に、電流方向を切り替えるよう、固定されたブラシ６１，６２と回転軸２０に取付けられたシュー６３，６４が摺動接触するように構成されている。これにより、冷房時には、常に排気経路（第１の空気経路）と接触するデシカントを担持したフィン側を高熱源（発熱部）とし、給気経路（第２の空気経路）と接触するデシカントを担持したフィン側を低熱源（吸熱部）として運転するようになっている。また、暖房時には冷房時の動作とは逆に排気経路（第１の空気経路）と接触するデシカントを担持したフィン側を低熱源（吸熱部）とし、給気経路（第２の空気経路）と接触するデシカントを担持したフィン側を高熱源（発熱部）として運転する。そのため、シュー６３，６４には太陽電池２００などから直流電源６５に電気が供給される。なお、シューを固定し、ブラシを回転軸に取付けても差し支えない。【００３９】
次に、前述のように構成されたペルチェヒートポンプを熱源とするデシカント外調機の冷房時の動作を、図５乃至図７を用いて説明する。なお図６ではペルチェヒートポンプ回転組立体５４が図３の実施の形態に比べて角度４５度だけ時計方向に回転した位置で示しており、図中高熱源側表面をＨｅａｔｉｎｇ  Ｓｕｒｆａｃｅ、低熱源側表面をＣｏｏｌｉｎｇ  Ｓｕｒｆａｃｅの記号で、担持されたデシカントの再生側表面をＤｅｓ、吸着側表面をＡｄｓの記号で図示した。図７は図５、図６の実施の形態における空気調和の部分の作動状態を示す湿り空気線図である。なお図中、丸で囲ったアルファベットＫ〜Ｔは、図５、図６と対応する空気の状態を示す記号であり、ＳＡは給気（処理された外気）を、ＲＡは還気（排出される室内空気）を、ＯＡは外気を、ＥＸは排気を表わす。【００４０】
排気経路の室内からの放出空気（ＲＡ：状態Ｑ）は空気取入れ口３６から、ケーシング胴体３０と中胴２２で囲まれた空間８０Ａ，８０Ｂを通り、中胴空気取入れ口２５を経て、中胴２２の内側に流入し、ここでペルチェヒートポンプ回転組立体５４の高熱源側デシカント５３Ａと接触して、熱および物質の同時移動によってデシカントから発生する水蒸気分を受け取ることによってデシカント５３Ａを再生し、乾球温度、絶対湿度が増加し（ＥＸ：状態Ｔ）、送風機４０に吸入され昇圧されて空気吹出し口３７を経て、屋外に排気（記号ＥＸとして図示）される。【００４１】
一方給気経路の導入される外気（導入空気：状態Ｋ）は空気取入れ口３５から、ケーシング胴体３０と中胴２２で囲まれた空間８５Ａ，８５Ｂを通り、中胴空気取入れ口２６を経て、中胴２２の内側に流入し、ここで排気経路の空気と接しているペルチェヒートポンプ回転組立体５４のデシカント５３Ａの裏側にある低熱源側デシカント５３Ｂと接触して、熱および物質の同時移動によって吸着除湿されて、乾球温度、絶対湿度が低下し（ＳＡ：状態Ｌ）、送風機４１に吸入され昇圧されて空気吹出し口３８を経て、室内に供給（記号ＳＡとして図示）される。【００４２】
これらの動作において、ペルチェヒートポンプの動作係数（ＣＯＰ）は一般に大略１程度であるため高熱源側に放出される熱量は、低熱源側で除去される熱量の大略２倍程度になる。従って、図７において外気導入側のエンタルピ差△Ｈｃは排気側のエンタルピ差△Ｈｈの大略２倍程度になる。一方、外気から除去され、また排気に放出される水分量は同じであるため、外気導入側の顕熱比は、排気側に比べて大幅に小さくなる。したがって本発明の外調機は除湿効果の割合が大きく、エンタルピ差△Ｈｃを外気（状態Ｋ）と室内（状態Ｑ）のエンタルピ差以上に大きく設定しなくとも、導入空気（給気：状態Ｌ）の絶対湿度を室内空間よりも低くすることができる。即ち少ない冷却能力で導入空気（給気：状態Ｌ）を室内空間（状態Ｑ）よりも低い絶対湿度にすることが可能で、これにより少ない冷却能力で室内空間に水分を持ち込むことを防止できる。【００４３】
つまり、デシカント外調機１００により、室内に供給する空気ＳＡは還気ＲＡより低い絶対湿度にすることができるから、水分を室内に持ち込まないで済む。従って、図１のエアコン３で除湿する必要がなく、空気の顕熱処理をするだけで良くなり、空調システムとして顕熱処理と潜熱処理を別々に行うことが可能になる。従って、湿度と気温をそれぞれ別個に制御できるようになり、室内の状態を適切に維持できるようになるため快適性が向上する。さらに、この場合においてエアコン３は、空気を２０℃程度に冷却すればよく、蒸発温度をおよそ１０℃高くとれる。そのため冷えすぎた冷気による肌の冷えすぎを回避できる。これにより、冷媒の冷凍サイクルの温度リフトが小さくなる（例えば、４０℃から３０℃）。これによる省エネルギー率は、ΔＴ１／ΔＴ２＝３０／４０＝０．７５であるから約２５％省エネルギーにもなる。また、エアコン３で除湿する必要がなくなり、これにドレンが不要となるので、設備コストや操作の手間を削減することもできる。【００４４】
このように、本発明では、ヒートポンプとしてペルチェヒートポンプを用いたので動作係数が低く、熱および物質バランスが成り立つことから、冷却側（Ｋ〜Ｌ）の過程の顕熱比が小さくなって、除湿効果が大きくなる。また、フィンにデシカントを担持させてヒートポンプとデシカントを一体化したので、図７における点Ｔの温度が低く、点Ｌの温度が高くなって、高熱源と低熱源の温度差が小さくなり、ヒートポンプに印加される温度リフトが少なくて済み、効率が良くなる。【００４５】
この実施の形態のデシカント外調機は、基本的にペルチェヒートポンプ回転組立体５４を連続的に回転させながら運転する形式のものである。ここで、図３の状態からペルチェヒートポンプ回転組立体５４を時計回りに連続回転すると、約１５度回転して図６Ａの状態になるが、まだ第１乃至第４の開口部２５，２６，３７ａ，３８ａは仕切り５７，５８によって閉止されていない。約３０度回転すると第１乃至第４の開口部２５，２６，３７ａ，３８ａは仕切り５７，５８によって部分的に閉止され、約４５度回転すると図６の状態になる。これらの状態でも、デシカントは排気経路（第１の空気経路）と給気経路（第２の空気経路）の空気に充分接触する。約７５度回転すると、図６Ｂのように第１乃至第４の開口部２５，２６，３７ａ，３８ａは仕切り５７，５８によって部分的に閉止され、約１０５度回転した状態まで中胴２２への空気の流通は無くなる。この状態では送風機４０，４１が作動するとケーシング胴体３０内部が減圧又は加圧状態となるが、特に問題は無い。この間送風機を停止して省エネルギーを図るようにしてもよいが、発停を繰り返す弊害を考慮すると大きな省エネルギー効果は無い。【００４６】
９０度回転した時に、ブラシ６１，６２とシュー６３，６４の接点が切り替わり（図４参照）、ペルチェヒートポンプ回転組立体５４の高熱源（発熱部）と低熱源（吸熱部）が入れ替わる。さらに回転すると、図６Ｃに示すように、再度開口部２５，２６，３７ａ，３８ａが開いて、空気が流通する。このように、この実施の形態では、仕切り５７，５８の周方向幅（つまり中心角）が第１乃至第４の開口部２５，２６，３７ａ，３８ａより大きいので、空気経路とデシカントの接触が切り替わる時にこれらの開口部が閉止される。従って、第１及び第２の空気経路が短絡することが無い。このような短絡は、ペルチェヒートポンプ回転組立体５４が間歇的に回転動作する場合には短時間であり問題が無いが、この実施の形態のように連続回転動作する場合には、比較的低速であるので、空調した空気が流出して損失となるからである。【００４７】
ペルチェヒートポンプ回転組立体５４は、空調空間に応じてかなり大型になるので、慣性が大きくなり、間歇回転させる場合は、大きな駆動モータと停止ために大型のブレーキ装置を必要とし、また発停の度に大きな動力を必要とする。この実施の形態の空調機では、ペルチェヒートポンプ回転組立体５４は、デシカントの除湿・再生のサイクルの半分程度の回転速度で連続回転動作する。従って、間歇回転させる場合と異なり、大型の駆動モータやブレーキ装置を必要とせず、汎用の出力の小さいギヤードモータが使え、低コスト化や省スペース化を図ることができる。また、駆動用モータ７１の発停を繰り返す必要が無いので省エネルギーとなる。また、この実施の形態では、ペルチェヒートポンプ回転組立体５４自体に、空気が他の経路に混入しないようにするための弁部材が設置されているので、流路中にダンパ（開閉弁）を設けたり、その開閉を制御する制御装置を別途設ける必要が無い。従って、構成が簡単で小型化が可能である。【００４８】
なお、この実施の形態では冷房運転の作用について説明したが、暖房運転においては、図７において室内の状態と外気の状態が入れ替わり、外気が低温低湿で室内が高温高湿となる。従って、暖房の場合には第１の空気経路側に接するペルチェヒートポンプの伝熱面を低熱源とし、第２の空気経路側に接するペルチェヒートポンプの伝熱面を高熱源とすることによって、状態Ｔが室内への給気となり、状態Ｌが室外への排気となり、排気の水分を回収して室内を加湿することができ、空調機（エアコン）３の加湿負荷を軽減することができる。この場合の作用については、外気が低温低湿で室内が高温高湿となるが、空気線図は同じ形状となるので、冷房の場合と同様なため省略する。【００４９】
図８、図８Ａおよび図９は本発明の第２の実施の形態であり、図９は図８のＢ−Ｂ線に沿った断面図である。第１の実施の形態では空調機１００を給気経路に使用する事例を示したが、本実施の形態は換気機能を停止して、冷房時には室内の湿気を室外に放出して室内を除湿し、暖房時には外気中の湿気を室内に取入れて加湿する用途に用いる事例を示すもので、第１の実施の形態の図２中の中胴仕切り板２３を取り外し、図９で示す仕切り２７，２８を設けることで簡単に実施できる。ペルチェヒートポンプ回転組立体５４は第１の実施の形態と同じ構成である。【００５０】
第２の実施の形態の空気経路について説明すると、室内空気を処理する還気経路Ｕ（第３の空気経路）を流れる空気（記号ＲＡとして図示）は、空気取入れ口３６から、ケーシング胴体３０と中胴２２と仕切り２７，２８で囲まれた空間９０を通り、中胴空気取入れ口２６を経て、中胴２２の内側に流入し、ここでペルチェヒートポンプ回転組立体５４のフィン５２Ｂに平行するように流れて担持されているデシカント５３Ｂと接触した後、送風機４１に吸入され昇圧されて空気吹出し口３８を経て、室内に給気（記号ＳＡとして図示）されるよう構成されている。これにより、室内空気を取り入れて、デシカントで処理して屋内に給気する空気経路を形成する。【００５１】
一方、外気を処理する外気経路Ｖ（第４の空気経路）を流れる空気（記号ＯＡとして図示）は、空気取入れ口３５から、ケーシング胴体３０と中胴２２と仕切り２７，２８で囲まれた空間９１を通り、中胴空気取入れ口２５を経て、中胴２２の内側に流入し、ここでフィン５２Ａに平行するように流れて、排気経路Ｕの空気と接しているペルチェヒートポンプ回転組立体５４のデシカント５３Ｂの裏側にあるデシカント５３Ａと接触した後、送風機４０に吸入され昇圧されて空気吹出し口３７を経て、屋外に排気（記号ＥＸとして図示）されるよう構成されている。これにより、外気を取り入れてデシカントで処理して屋外に排気する空気経路を形成する。【００５２】
次に、前述のように構成されたペルチェヒートポンプを熱源とするデシカント空調機の冷房時の動作を説明する。還気経路Ｕの室内の空気は空気取入れ口３６から、ケーシング胴体３０と中胴２２と仕切り２７，２８で囲まれた空間９０を通り、中胴空気取入れ口２６を経て、中胴２２の内側に流入し、ここでペルチェヒートポンプ回転組立体５４の低熱源側デシカントと接触して、熱および物質の同時移動によってデシカントで吸着除湿されて、乾球温度、絶対湿度が低下し、送風機４１に吸入され昇圧されて空気吹出し口３８を経て、室内に給気（記号ＳＡとして図示）される。【００５３】
一方、外気経路Ｖの導入される外気は空気取入れ口３５から、ケーシング胴体３０と中胴２２と仕切り２７，２８で囲まれた空間９１を通り、中胴空気取入れ口２５を経て、中胴２２の内側に流入し、ここで排気経路Ｕの空気と接しているペルチェヒートポンプ回転組立体５４のデシカントの裏側にある高熱源側デシカントと接触して、熱および物質の同時移動によってデシカントを再生して自らは加湿加熱されて、乾球温度、絶対湿度が上昇し、送風機４０に吸入され昇圧されて空気吹出し口３７を経て、外気に排気（記号ＥＸとして図示）される。【００５４】
すなわち、室内空気は除湿されたのち室内に還気され、一方外気は加湿されたのち屋外に排気されるので、本実施の形態では換気を止めて空調機１００を除湿機として作用させることができ、空調機（エアコン）の除湿負荷を削除若しくは軽減することができる。【００５５】
以上、第２の実施の形態の冷房運転の作用について説明したが、暖房運転においては、室内の状態と外気の状態が入れ替わり、外気が低温低湿で室内が高温高湿となる。従って暖房の場合には還気経路側に接するペルチェヒートポンプの伝熱面を高熱源とし、外気経路側に接するペルチェヒートポンプの伝熱面を低熱源とすることによって、外気の水分を回収して室内を加湿する加湿器として作用させることができ、空調機（エアコン）の加湿負荷を削除若しくは軽減することができる。この場合の作用については、冷房の場合と同様なため省略する。【００５６】
なお、上述した２つの実施の形態の空調機は、図２の中胴仕切り板２３に開閉弁を取り付け、図９の仕切り板２７に開閉弁を設け、これらの開閉弁を選択的に開閉することによって、１つの装置によって実現することができる。【００５７】
図１０及び図１１は、そのような開閉弁を設けた実施の形態の空調機を示すものである。すなわち、中胴仕切り板２３には、開閉弁装置１１０，１１０が設けられ、仕切り板２７に対応する箇所には開閉弁装置１１２，１１２が設けられている。これらの開閉弁装置１１０，１１２は、図１１（ｂ）に示すように、ヒンジ１１４周りに回動することによって開口部を開閉可能なダンパー１１６と、これを回転駆動するためのモータ１１８を有している。モータ１１８の出力軸にはこれと直交する方向に延びるアーム１２０が設けられ、ダンパー１１６はこのアーム１２０とその先端に取り付けられたスプリング１２２を介してモータ１１８に連結され、駆動されるようになっている。【００５８】
この実施の形態において、開閉弁装置１１０，１１０を閉とし、開閉弁装置１１２，１１２を開とすれば、図２の実施の形態と同様の、空気を入れ替える形式の空調機が構成され、開閉弁装置１１０，１１０を開とし、開閉弁装置１１２，１１２を閉とすれば、図９の実施の形態と同様の、空気を入れ替えない密閉式の空調機が構成される。【００５９】
この実施の形態の空調機によれば、モータ１１８によって開閉弁を駆動することで、第１の空気経路と第２の空気経路を、それぞれ空調空間と外気との間で空気を流通させるようにする第１の流通状態と、それぞれ空調空間内の空気又は外気を環気させるようにする第２の流通状態とに切り替えることができ、実用性の高い空調機を提供することができる。
【図１】
2006030901.tif 000002
【図２】
2006030901.tif 000003
【図２Ａ】
2006030901.tif 000004
【図３】
2006030901.tif 000005
【図４】
2006030901.tif 000006
【図５】
2006030901.tif 000007
【図６】
2006030901.tif 000008
【図６Ａ】
2006030901.tif 000009
【図６Ｂ】
2006030901.tif 000010
【図６Ｃ】
2006030901.tif 000011
【図７】
2006030901.tif 000012
【図８】
2006030901.tif 000013
【図８Ａ】
2006030901.tif 000014
【図９】
2006030901.tif 000015
【図１０】
2006030901.tif 000016
【図１１】
2006030901.tif 000017
【図１２】
2006030901.tif 000018
【図１３】
2006030901.tif 000019
【国際調査報告】
2006030901.tif 000020
2006030901.tif 000021
2006030901.tif 000022
2006030901.tif 000023